(57)【要約】【課題】リモートコントロールコードデータを上手に活用することによって、ユーザが簡便な入力操作をするだけで正しい設定を行えるようにする。【解決手段】情報設定装置３００に、リモートコントローラ１００に設けられているキーの押下を指示するとともに当該キーが押下されることによって送信される信号を受信するユーザインターフェイス手段３１０と、前記信号が示す２値信号を解析する解析手段３２０と、解析手段３２０による解析の結果とリモートコントロールコードデータとに基づいてリモートコントローラ１００に設けられている次に押下を指示する特定キーを探索する探索手段３３０と、探索手段３３０探索された特定キーが押下されることによって送信される信号に基づいてリモートコントローラ１００による制御対象の機種を特定してからＳＧＷ４００に当該機種情報を設定する設定手段３４０と、を備える。【選択図】図２
2016010051.tif 000002
【特許請求の範囲】
【請求項１】
リモートコントローラに設けられているキーの押下を指示するとともに当該キーが押下されることによって送信される信号を受信する手段と、
前記信号を解析する手段と、
前記解析の結果とリモートコントロールコードデータとに基づいて前記リモートコントローラに設けられているキーのうち次に押下を指示する特定キーを探索する手段と、
前記探索された特定キーが押下されることによって送信される信号に基づいて前記リモートコントローラによる制御対象の機種を特定する手段と、
を備える情報設定装置。
【請求項２】
リモートコントローラに設けられている電源キーの押下を指示する手段と、
前記電源キーが押下されることによって送信される電源キーに対応する信号を受信する手段と、
前記受信した電源キーに対応する信号に含まれているカスタムコードをリモートコントロールコードデータに基づいて解析する手段と、
前記カスタムコードが割り当てられているリモートコントローラコードデータのうちユニークなデータコードに対応するキーを特定する手段と、
前記特定されたキーの押下を指示する手段と、
前記特定のキーが押下されることによって送信される特定のキーに対応する信号を受信する手段と、
前記受信した特定のキーに対応する信号に含まれているデータコードを解析する手段と、
前記解析されたデータコードに基づいて前記リモートコントローラによる制御対象の機種を特定できたか否かを判定する手段と、
を備える情報設定装置。
【請求項３】
前記機器を遠隔制御可能なゲートウェイに内蔵され、又は、外付けされている、請求項１又は２記載の情報設定装置。
【請求項４】
前記機器は、テレビ受信機、照明機器、離床センサ、窓、扉又はカーテンの開閉装置、温度設定が可変である冷蔵庫、又は、プラグイン電気自動車の充電装置である、請求項１又は２記載の情報設定装置。
【請求項５】
前記機器は、通信機器によって遠隔制御される、請求項１又は２記載の情報設定装置。
【請求項６】
請求項１又は２記載の情報設定装置と、
前記機器を遠隔制御可能なゲートウェイと、
前記リモートコントローラ又は前記ゲートウェイを通じて前記機器が制御された場合に当該機器に対する指示を示す情報が格納されるサーバと、
を備える情報収集システム。
【発明の詳細な説明】
【技術分野】
【０００１】
本発明は、情報設定装置及びそれを用いた情報収集システムに関し、特に、リモートコントローラによって制御されるテレビ受信機などの情報設定装置及びそれを用いた情報収集システムに関する。
【背景技術】
【０００２】
特許文献１には、いわゆる学習リモートコントローラについて開示されており、そこでは、記憶させたいリモートコントローラ送信部のヘッドとユニバーサルリモートコントローラのリモートコントローラ受信部のヘッドを向かい合わせ、リモートコントローラ送信部の所定のキーを押すと、そのリモートコントローラ送信部に対応するデータ集合体がデータベースサーバからユニバーサルリモートコントローラのメモリに複写・記憶されることが示されている。すなわち、特許文献１では、リモートコントローラ送信部の１個のキーの操作によって所望のデータ系列を総てメモリに記憶している。
【０００３】
【特許文献１】特許第３４８２３１９号公報
【発明の開示】
【発明が解決しようとする課題】
【０００４】
しかし、特許文献１に開示されているユニバーサルリモートコントローラは、所望のデータ系列を総てメモリに記憶していることから、その後に、ユーザが実際にリモートコントローラ送信部自体のデータを特定する必要がある。
【０００５】
同一メーカによって製造販売されるテレビ受信機等のリモートコントローラも複数存在しているし、特に、同一機種のテレビ受信機等であっても製造年数が異なることによって、新たな付加機能を有するキーが設けられることがある。このため、ユーザがリモートコントローラ送信部自体のデータを正しく選択することが困難な場合がある。
【０００６】
そこで、本発明は、所望のデータ系列を総てメモリに記憶してからユーザに所望のデータを選択させるのではなく、そのデータ系列（リモートコントロールコードデータ）を上手に活用することによって、ユーザが簡便な入力操作をするだけで、リモートコントローラの正しい設定を行えるようにすることを課題とする。
【課題を解決するための手段】
【０００７】
上記課題を解決するために、本発明の情報設定装置は、
リモートコントローラに設けられているキーの押下を指示するとともに当該キーが押下されることによって送信される信号を受信する手段（例えば、図２に示すユーザインターフェイス手段３１０）と、
前記信号を解析する手段（例えば、図２に示す解析手段３２０）と、
前記解析の結果とリモートコントロールコードデータとに基づいて前記リモートコントローラに設けられているキーのうち次に押下の指示をする特定キーを探索する手段（例えば、図２に示す探索手段３３０）と、
前記探索された特定キーが押下されることによって送信される信号に基づいて前記リモートコントローラによる制御対象の機種を特定する手段（例えば、図５に示すステップＳ１５〜Ｓ１９を実施する手段）と、
を備える。
【０００８】
また、本発明の情報設定装置は、
リモートコントローラに設けられている電源キーの押下を指示する手段（例えば、図２に示すユーザインターフェイス手段３１０）と、
前記電源キーが押下されることによって送信される電源キーに対応する信号を受信する手段（例えば、図２に示すユーザインターフェイス手段３１０）と、
前記受信した電源キーに対応する信号に含まれているカスタムコードをリモートコントロールコードデータに基づいて解析する手段（例えば、図２に示す解析手段３２０）と、
前記カスタムコードが割り当てられているリモートコントローラコードデータのうちユニークなデータコードに対応するキーを特定する手段（例えば、図２に示す探索手段３３０）と、
前記特定されたキーの押下を指示する手段（例えば、図２に示すユーザインターフェイス手段３１０）と、
前記特定のキーが押下されることによって送信される特定のキーに対応する信号を受信する手段（例えば、図２に示すユーザインターフェイス手段３１０）と、
前記受信した特定のキーに対応する信号に含まれているデータコードを解析する手段（例えば、図２に示す解析手段３２０）と、
前記解析されたデータコードに基づいて前記リモートコントローラによる制御対象の機種を特定できたか否かを判定する手段（例えば、図５に示すステップＳ１５〜Ｓ１９を実施する手段）と、
を備える。
【０００９】
上記情報設定装置は、前記機器を遠隔制御可能なゲートウェイ（例えば、図１に示すＳＧＷ５００）に内蔵されていてもよいし、これに外付けされていてもよい。
【００１０】
前記機器は、テレビ受信機（例えば、図１に示すテレビ２００）、照明機器、介護用ベッドなどに取付可能な離床センサ、窓、扉又はカーテンなどの開閉装置、温度設定が可変である冷蔵庫などの電器を含む種々の機器、プラグイン電気自動車の充電装置等とすることができる。
【００１１】
前記機器は、スマートフォンなどの通信機器によって遠隔制御されるようにしてもよい。
【００１２】
本発明の情報収集システムは、
上記情報設定装置（例えば、図１に示す情報設定装置３００）と、
前記機器を遠隔制御可能なゲートウェイ（例えば、図１に示すＳＧＷ５００）と、
前記リモートコントローラ（例えば、図１に示すリモコン１００）又は前記ゲートウェイを通じて前記機器が制御された場合に当該機器に対する指示を示す情報が格納されるサーバ（例えば、図１に示すクラウドサーバ６００）と、を備える。
【００１３】
【図面の簡単な説明】
【００１４】
【図１】本発明の実施形態の情報収集システムの概要説明図である。
【図２】図１に示す情報設定装置３００の模式的な内部構成を示すブロック図である。
【図３】図１に示す情報設定装置３００に内蔵されているデータベースに格納されたデータの構成例を示す図である。の構成図である。
【図４】図１に示すリモコン１００によってテレビ２００のメーカ及び機種を特定する手法の説明図である。
【図５】図１に示す情報設定装置３００の動作を示すフローチャートである。
【符号の説明】
【００１５】
１００  リモートコントローラ（リモコン）
２００  テレビ受信機（テレビ）
３００  情報設定装置
３１０  ユーザインタフェース手段
３２０  解析手段
３３０  探索手段
３４０  設定手段
４００  サービスゲートウェイ（ＳＧＷ）
５００  モデムルータ
６００  クラウドサーバ
７００  インターネット
【発明の実施の形態】
【００１６】
以下、本発明の実施形態について、図面に基づいて説明する。
【００１７】
図１は、本発明の実施形態の情報収集システムの概要説明図である。図１には、以下説明する、リモートコントローラ（以下、「リモコン」と称する。）１００と、テレビ受信機（以下、「テレビ」と称する。）２００と、情報設定装置３００と、サービス・ゲートウェイ（Service Gateway：ＳＧＷ）４００と、モデムルータ５００と、クラウドサーバ６００と、インターネット７００とを示している。
【００１８】
リモコン１００は、テレビ２００を遠隔制御するものである。以下、本実施形態では、テレビ２００を遠隔制御する、いわゆる赤外線リモコンを例に説明するが、リモコン１００による制御対象は、テレビ２００に限定されず、照明機器、介護用ベッドなどに取付可能な離床センサ、窓、扉又はカーテンなどの開閉装置、温度設定が可変である冷蔵庫などの電器を含むHEMS（Home Energy Management System）などによって管理される種々の機器、プラグイン電気自動車の充電装置等も挙げられる。また、リモコン１００の種別は、赤外線リモコンだけではなく、電波等の無線で信号を送信するリモコン（ＲＦリモコン）もよく、更には、テレビ２００から送信される信号を受信可能なリモコンであってもよい。
【００１９】
テレビ２００は、テレビ放送局から送信されるテレビ番組を受信して、ディスプレイ及びスピーカからテレビ番組に係る映像信号及び音声信号を出力するものである。また、テレビ２００は、リモコン１００が赤外線リモコンである場合に、当該リモコン１００から送信される信号によって送信される遠隔制御情報の種別を示すデータを、その受信日時を示すデータとともに格納する格納媒体を備えている。この格納媒体に格納されたデータは、ＳＧＷ４００からの要求により又は自発的に、定期的に又は不定期に読み出されて、ＳＧＷ４００に有線接続又は無線接続を通じて出力できるようにされている。この格納媒体及びＳＧＷ４００への出力手段は、テレビ２００に内蔵されているものに限定されず、テレビ２００に外付けされていてもよい。
【００２０】
情報設定装置３００は、リモコンコードデータが格納されたデータベースを有していて、リモコン１００から送信される信号とリモコンコードデータとに基づいてテレビ２００のメーカ及び機種を特定して、その情報をＳＧＷ４００に設定するものである。様々なメーカ及び機種を特定できるように、リモコンコードデータは、主要メーカの主要機種のテレビ用リモコンのものとしている。
【００２１】
ＳＧＷ４００は、テレビ２００、情報設定装置３００及びモデムルータ５００に接続されていて、リモコン１００と同様に、テレビ２００を遠隔制御するものである。ＳＧＷ４００にも、情報設定装置３００と同じく、様々なメーカ及び機種のテレビに対応できるように、主要メーカの主要機種のテレビ用リモコンのリモコンコードデータを登録してある。
【００２２】
また、図示しないスマートフォン、タブレット、パーソナルコンピュータなどの通信機器から、Ｗｉ−Ｆｉなどの無線ローカルエリアネットワーク通信及びＳＧＷ４００を経由してテレビ２００に指示を送信することもできる。すなわち、スマートフォン等を、いわゆるリモートコントローラとして用いることができる。この場合、スマートフォン等から送信されるテレビ２００を制御する指示の信号は、モデムルータ５００で受信され、その後に、ＳＧＷ４００に出力され、ＳＧＷ４００からテレビ２００へ送信すればよい。
【００２３】
したがって、例えば、家の外にいるユーザが、スマートフォン等を操作することによって、テレビ２００の電源のオン／オフ、或いは、テレビ２００がハードディスクを備えている場合にはそのハードディスクへのテレビ番組の録画予約などを指示することができる。
【００２４】
また、ＳＧＷ４００は、リモコン２００がＲＦリモコンである場合に当該リモコン１００から、又は、スマートフォン等から送信される遠隔制御情報の種別を示すデータを、その受信日時を示すデータとともに格納しておく格納媒体を備える。また、この格納媒体に格納されるデータは、テレビ２００に内蔵されている既述の格納媒体から出力される、既述の同種のデータが入力されたときなどに更新されるようにしてある。
【００２５】
ＳＧＷ４００は、定期的に又は不定期に、その格納媒体から当該データを読み出して、モデムルータ５００及びインターネット７００を介して、クラウドサーバ６００に送信する。クラウドサーバ６００では、各家庭等から送信されてくるデータを蓄積すれば、各家庭等でのテレビのユーザのテレビに付帯する生活スタイルなどについて、ビッグデータを作成することもできる。
【００２６】
なお、テレビ２００の格納媒体に格納されたデータを、ＳＧＷ４００を通じてクラウドサーバ６００に送信することに代えて、テレビ２００がインターネット７００に接続されている場合には、必要に応じてクラウドサーバ６００においてテレビ２００とＳＧＷ４００とが同一ユーザのものであることを紐付けておき、テレビ２００からクラウドサーバ６００に上記データを送信し、かつ、クラウドサーバ６００において紐付けて格納されているＳＧＷ４００からの上記データを、テレビ２００からのデータで上書きするといった処理を行ってもよい。
【００２７】
また、リモコン１００は、通常、乾電池を電源としたものが多く存在するが、蓄電池を電源としているものも存在している。このタイプのリモコン１００は、ステーションと称される充電器を通じて蓄電池が充電されてから使用される。このような事情に鑑みて、リモコン１００に上記のような遠隔制御情報の種別を示すデータを格納する格納媒体を設けておき、リモコン１００の充電中などに当該データを格納媒体から読み出してステーションに出力し、ステーションからＳＧＷ４００に送信してもよい。
【００２８】
モデムルータ５００は、下流に位置するＳＧＷ４００と、上流に位置するインターネット７００とを接続するものである。モデムルータ５００は、主として、スマートフォン等からテレビ２００を制御する指示が送信された場合に、当該指示を受信してＳＧＷ４００にルーティングするといったルータ機能付きのモデムである。
【００２９】
モデムルータ５００は、スマートフォン等からの指示を、Ｗｉ−Ｆｉなどの無線ローカルエリアネットワーク通信を経由して受信するだけではなく、インターネット７００を経由して受信することもできる。なお、モデムルータ５００に代えて、モデムとルータという別々のハードウェアを用意し、これらを相互に接続したものを用いて上記動作を実現してもよい。
【００３０】
本実施形態では、スマートフォン等に対して、ＳＧＷ４００に設定されたテレビ２００のメーカ及び機種を、モデムルータ５００を通じて送信することによって、ユーザがスマートフォン等に制御対象のテレビのメーカ及び機種を設定しなくて済むようにしてある。
【００３１】
具体的には、スマートフォン等にインストール可能なテレビの遠隔制御用のアプリケーションソフトウェアと、これに付帯して主要メーカ及び主要機種のテレビに係るリモコンコードデータとを用意しておき、これらがスマートフォン等にインストールされた後に、ユーザの指示により又は当該インストールをトリガーとして、スマートフォン等からＳＧＷ４００にアクセスして、ＳＧＷ４００からテレビ２００の設定情報をロードしてくればよい。
【００３２】
上記アプリケーションソフトウェアは、スマートフォン等のディスプレイに、電源ボタン等に対応する仮想ボタンを表示させるものである。仮想ボタンを表示させた状態でディスプレイの特定の領域がユーザによってタッチされると、リモコン１００がいわゆる赤外線リモコンである場合には、その領域に対応する信号をテレビ２００に赤外線によって出力することを指示する情報を、スマートフォン等からＳＧＷ４００に送信する。そして、これを受信したＳＧＷ４００が、テレビ２００に対して当該信号を赤外線によって出力するようにしておけばよい。
【００３３】
また、ＳＧＷ４００とモデムルータ５００との接続は、通常、これらが物理的に近い位置に設けられることも少なくないので、例えば、ケーブル通信、有線ＬＡＮ通信といった有線接続するとよい。もっとも、これらを無線通信によって接続することもできる。
【００３４】
ＳＧＷ４００とテレビ２００との接続は、赤外線通信によって行うことができるが、これらの間の通信経路に物理的な障害物があっても通信が遮断されないように、既述のようにＲＦ通信としてもよく、例えば、Ｂｌｕｅｔｏｏｔｈ（登録商標）通信、Ｗｉ−Ｆｉ（登録商標）通信、ＺｉｇＢｅｅ（登録商標）通信、ｓｕｂ−Ｇ通信（登録商標）、ＢＬＥ（Bluetooth Low Energy：登録商標）通信などの各種規格に基づく通信によって行うとよい。
【００３５】
クラウドサーバ６００は、既述のように、ビッグデータの作成のために用いられるが、これ以外にも、新型テレビ及びこれに付随するリモコンが登場した時に、そのリモコンのリモコンコードデータを登録し、ＳＧＷ４００に送信することで、ＳＧＷ４００内のリモコンコードデータを更新できるようにしている。
【００３６】
インターネット７００は、モデムルータ５００とクラウドサーバ６００とに接続されており、スマートフォン等とモデムルータ５００とがＷ−ＬＡＮ通信で接続できないときに通信網となるネットワークである。
【００３７】
図２は、図１に示す情報設定装置３００の模式的な内部構成を示すブロック図である。図２には、リモコン１０に設けられているキーの押下を指示するためのディスプレイ又はマイクロフォンなどとユーザがリモコン１０に設けられているいずれかのキーを押下することによってリモコン１００から送信される信号を受信するユーザインターフェイス手段３１０と、ユーザインターフェイス手段３１０で受信された信号を解析する解析手段３２０と、解析手段３２０から出力される解析結果とリモートコントロールコードデータとに基づいてユーザに次に押下を指示すべき特定キーを探索する探索手段３３０と、探索手段３３０によって探索された特定キーが押下されることで特定される機種情報をＳＧＷ４００に対して設定する設定手段３４０とを示している。
【００３８】
つぎに、図１に示す情報設定装置３００によって、リモコン１００からＳＧＷ４００への情報の設定の際に、如何にしてユーザの利便性を向上させるかといった概要について説明する。
【００３９】
図３（ａ）〜図３（ｆ）は、図１に示す情報設定装置３００に内蔵されているデータベースに格納されたリモコンコードデータの構成例を示す図である。図３ （ａ）〜図３（ｆ）には、リモコン１００に設けられている各種キーの「キー名称」と、それらに各々対応する「リモコンコード」データとが一対となった６種類のデータを示している。
【００４０】
ここで、図３（ａ）〜図３（ｃ）には、メーカが全て同じではあるものの、相互に機種が異なるデータを示している。通常、各メーカは、電源キーについては、同一のリモコンコードデータを割り当てているので、図３（ａ）〜図３（ｃ）には、「電源キー」について「ＡＡ−ＡＡ」というリモコンコードデータが割り当てられている例を示している。
【００４１】
また、同様に、図３（ｅ）及び図３（ｆ）にも、メーカが全て同じではあるものの、機種が異なるデータを示している。図３（ｄ）には、図３（ａ）〜図３（ｃ）、図３（ｅ）及び図３（ｆ）に示すデータに係るメーカとは異なるもののデータを示している。
【００４２】
また、図３（ａ）と図３（ｂ）とを対比するとわかるように、例えば「１キー」に割り当てられているリモコンコードデータは、前者のものは「ＡＡ−０１」であり、後者のものは「ＡＢ−０１」である。つまり、図３（ａ）と図３（ｂ）とに係るリモコンコードデータは、「電源キー」については同一であるが、「１キー」については相違している。
【００４３】
同様に、図３（ａ）と図３（ｃ）とを対比すると、図３（ａ）と図３（ｃ）とに係るリモコンにおけるリモコンコードデータは、「電源キー」〜「１キー」等のものについては同一であるが、「入力切替キー」のものについては相違している。
【００４４】
また、図３（ｅ）と図３（ｆ）とを対比すると、図３（ｅ）に係るリモコンにおけるリモコンコードデータに対して、図３（ｆ）に係るリモコンにおけるリモコンコードデータは、「マルチキー」が追加されたことに伴って、これに対応する「ＢＢ−Ｂ３」というが追加されている点のみが相違している。このような僅かな相違点がある場合に、ユーザが的確に、いずれのリモコンコードデータを選択することは困難である。
【００４５】
特に、メーカとしては、新たに追加した「マルチキー」の利用頻度等を知りたいという要望があるはずなので、本来、図３（ｅ）に示すリモコンコードデータがユーザによって選択されるべきところを、図３（ｆ）に示すリモコンコードデータがユーザによって誤って選択されてしまっては、そのユーザが一切「マルチキー」を利用していないとった内容のデータがクラウドサーバ６００に送信されてしまい、上記利用頻度等の信頼性が低下してしまう。
【００４６】
図４（Ａ）〜図４（Ｃ）は、リモコン１００によってテレビ２００のメーカ及び機種を特定する手法の説明図する。図４（Ａ）〜図４（Ｃ）には、それぞれ、図３（ａ）〜図３（ｃ）に示すデータの一部を抜き出したものを表示している。以下、例えば、リモコン１００に対して、図３（ａ）に示すリモコンコードデータが割り当てられている場合に、これを特定するための手法について説明する。
【００４７】
まず、ユーザにリモコン１００に設けられている「電源キー」を押下させると、「ＡＡ−ＡＡ」というリモコンコードデータを含む信号がリモコン１００から送信される。このため、図３（ａ）〜図３（ｆ）に示すデータのうち、図３（ｄ）〜図３（ｆ）に示すデータがフィルタリングされる（図４（Ａ））。
【００４８】
つぎに、フィルタリングされずに残った図３（ａ）〜図３（ｃ）に示すデータのリモコンコードデータを相互に対比する。ここでは、図３（ｂ）の「１キー」には、図３（ａ）及び図３（ｃ）の場合とは異なり、「ＡＢ−０１」というユニークなリモコンコードデータが割り当てられている。したがって、ユニークなリモコンコードデータが割り当てられているキーが「１キー」であると特定することができる（図４（Ｂ））。
【００４９】
ユーザにリモコン１００に設けられている特定キーであるところの「１キー」を押下させる。これにより、「１キー」に割り当てられているユニークなリモコンコードデータ「ＡＢ−０１」を含む信号が、リモコン１００から送信されるか否かを判定することができる。
【００５０】
判定の結果、この例では、当該信号にはユニークなリモコンコードデータ「ＡＢ−０１」が含まれていないので、これを含む図３（ｂ）に示すデータをフィルタリングし、残った図３（ａ）及び図３（ｃ）のデータのリモコンコードデータを相互に対比する。
【００５１】
そして、図３（ａ）／図３（ｃ）の「入力切替キー」には、「ＡＡ−Ａ１」／「ＡＢ−Ａ１」というユニークなリモコンコードデータが割り当てられてので、ユーザにその「入力切替キー」を押下させることによって、ユニークなリモコンコードデータが割り当てられているキーが「入力切替キー」であることが特定できる（図４（Ｃ））。
【００５２】
具体的には、ユーザにその「入力切替キー」を押下させることで、「入力切替キー」に割り当てられているユニークなリモコンコードデータ「ＡＡ−Ａ１」／「ＡＢ−Ａ１」のいずれを含む信号がリモコンから送信されてくるか否かを判定する。
【００５３】
この例では、判定の結果、当該信号が、ユニークなリモコンコードデータ「ＡＡ−Ａ１」を含むものであるから、ユーザが操作しているリモコン１００が、図３（ａ）のデータに係るテレビ受信機のものであるかを特定することができる。
【００５４】
なお、仮に、リモコン１００に対して、図３（ｂ）に示すリモコンコードデータが割り当てられている場合には、ユーザにリモコン１００の「１キー」を押下させる結果、「１キー」に割り当てられているユニークなリモコンコードデータ「ＡＢ−０１」を含む信号が、リモコン１００から送信されてくるので、リモコン１００が、図３（ｂ）のデータに係るテレビ受信機のものであるかを特定することができる。
【００５５】
また、仮に、リモコン１００に対して、図３（ｃ）に示すリモコンコードデータが割り当てられている場合には、ユーザにリモコン１００の「入力切替キー」を押下させる結果、「入力切替キー」に割り当てられているユニークなリモコンコードデータ「ＡＢ−Ａ１」を含む信号が、リモコン１００から送信されてくるので、リモコン１００が、図３（ｃ）のデータに係るテレビ受信機のものであるかを特定することができる。
【００５６】
つづいて、以上の概要説明の内容を具体的に行うための情報設定装置３００の動作について説明する。
【００５７】
図５は、図１に示す情報設定装置３００の動作を示すフローチャートである。まず、情報設定装置３００では、ユーザインターフェイス手段３１０は、図示しないディスプレイに、「リモコンの信号送信部を受光部に向けて、『電源キー』を押下してください」などの文字を表示することによって、ユーザに対してリモコン１００の電源キーを押下するように指示する（ステップＳ１１）。
【００５８】
これに応じて、ユーザがリモコン１００の信号送信部を情報設定装置３００の受光部に向けて「電源キー」を押下すると、リモコン１００の信号送信部から、「電源キー」に対応する赤外線が送信される。情報設定装置３００は、リモコン１００から赤外線によって送信される信号を受光部によって受光する（ステップＳ１２）。
【００５９】
つぎに、情報設定装置３００は、受光部で受光された信号を解析手段３２０に出力する。解析手段３２０は、受光部から出力された信号を入力すると、その信号に含まれているカスタムコードを取得するための解析を行う（ステップＳ１３）。
【００６０】
通常、カスタムコードは、メーカごとに一意のコードを用いていることから、カスタムコードを取得すれば、リモコン１００による制御対象のテレビ２００のメーカを特定することができる（ステップＳ１４）。
【００６１】
つぎに、情報設定装置３００では、解析手段３２０は、そのメーカが用いているカスタムコードを、探索手段３３０に出力する。探索手段３３０は、解析手段３２０から出力されたカスタムコードに基づいてリモコンコードデータを参照して、ユーザに押下を指示すべき特定キーを探索する（ステップＳ１５）。
【００６２】
念のため付言すると、図４を用いて説明した例では、ステップＳ１５を実行することによって「１キー」が特定キーであると探索される。その後、ユーザインターフェイス手段３１０は、図示しないディスプレイに、「リモコンの信号送信部を受光部に向けて電源『１キー』を押下してください」などの文字を表示することによって、ユーザに対してリモコン１００の「１キー」を押下するように指示する（ステップＳ１６）。
【００６３】
これに応じて、ユーザがリモコン１００の信号送信部を受光部に向けて、「１キー」を押下すると、リモコン１００の信号送信部から「１キー」に対応する信号が送信される。情報設定装置３００は、リモコン１００から赤外線によって送信される信号を、受光部によって受光する（ステップＳ１７）。
【００６４】
つぎに、情報設定装置３００は、受光部で受光された信号を解析手段３２０に出力する。解析手段３２０は、受光部から出力された信号を入力すると、その信号に含まれているデータコードを取得するために解析する（ステップＳ１８）。
【００６５】
データコードは、キー全体で見れば、機種ごとに一意となるように割り当てられているが、その一方で、特定キーに着目した場合には、図３（ａ）と図３（ｃ）とで、例えば「１キー」のいずれにも「ＡＡ−０１」というリモコンコードが割り当てられているように、その特定キー自体に一意のコードが割り当てられていない場合がある。
【００６６】
そこで、ステップＳ１６による指示を受けたユーザが、特定キーを押下することによって送信される信号に基づいて、リモコン１００による制御対象のテレビ２００の機種を特定することができたか否かを判定する（ステップＳ１９）。
【００６７】
判定の結果、テレビ２００の機種の特定ができていない場合には、図４を用いて説目下例で言えば、図４（ｂ）に示すデータをフィルタリングしてから、ステップＳ１５に移行する。以後、機種の特定ができるまで、ステップＳ１５〜ステップＳ１９の処理を繰り返す。その後、テレビ２００の機種の特定ができた場合には、設定手段３４０は、特定された機種情報を、ＳＧＷ４００に対して設定する（ステップＳ２０）。
【００６８】
以上説明した手法によれば、ユーザは、僅か２回〜３回程度、情報設定装置３００の指示に従って、リモコン１００のキーを押下するだけで、ＳＧＷ４００に対して、リモコン１００による制御対象がテレビ２００であることを設定することができる。
【００６９】
また、こうしてユーザの設定の利便性が向上すると、本実施形態の情報収集システムの利用者が増加することになるので、クラウドサーバ６００でビッグデータを容易に作成することができる。
【００７０】
なお、ビッグデータについて付言すると、ビッグデータには、ユーザの購入したテレビ２００のメーカ及び機種についての情報、ユーザのチャンネル操作の情報、録画設定の情報など、リモコン１００などを通じてテレビ２００に対して行われた遠隔制御に関する各種情報を含めることができる。
【００７１】
したがって、テレビ番組の視聴率調査など、上記各情報自体の調査も容易に行うことができるし、各種情報間の相関関係の調査も容易に行うことができるといった利点がある。
【図２】
2016010051.tif 000003
【図３】
2016010051.tif 000004
【図４】
2016010051.tif 000005
【図５】
2016010051.tif 000006
【図１】
2016010051.tif 000007